(57)【要約】【課題】ボールの回収を容易に行うことできる排水管路の通球試験用治具および排水管路の通球試験方法を提供する。【解決手段】排水管路の通球試験用治具１Ａは、内外を連通させる開口部１３を有する継手管１４に立て管１２１が接続されている排水管路１２の通球試験用治具であって、開口部１３から継手管１４内に着脱可能で、排水管路１２を流れる水を通流させ通球試験用のボール２を受けるボール受け部材５と、を備える。排水管路の通球試験方法では、水とともに排水管路１２を流れる通球試験用のボール２を、継手管１４内に取り付けられた排水管路の通球試験用治具１Ａのボール受け部材５で受ける。【選択図】図３
2015113610.tif 000002
【特許請求の範囲】
【請求項１】
内外を連通させる開口部を有する継手管に立て管が接続されている排水管路の通球試験用治具において、
前記開口部から前記継手管内に着脱可能で、前記排水管路を流れる水を通流させ通球試験用のボールを受けるボール受け部材と、を備えることを特徴とする排水管路の通球試験用治具。
【請求項２】
前記ボール受け部材を係止した状態で前記開口部から前記継手管内に挿入可能で内部を前記水が流れる管部材と、
該管部材を前記継手管の内部において前記開口部と重なる高さに支持する支持部材と、
少なくとも前記開口部の上部において前記管部材と前記継手管との隙間を止水する止水部材と、を更に備えることを特徴とする請求項１に記載の排水管路の通球試験用治具。
【請求項３】
前記開口部を閉塞可能な蓋部材と、該蓋部材と連結されて前記開口部から前記継手管の内部に挿入可能であるとともに前記ボール受け部材を支持するボール受け支持部材と、を備えていることを特徴とする請求項１に記載の排水管路の通球試験用治具。
【請求項４】
内外を連通させる開口部を有する継手管に立て管が接続されている排水管路の通球試験方法において、
水とともに前記排水管路を流れる通球試験用のボールを、前記開口部から前記継手管内に着脱可能に設けられて、前記排水管路を流れる水を通流させ前記ボールを受けるボール受け部材で受けることを特徴とする排水管路の通球試験方法。
【発明の詳細な説明】
【技術分野】
【０００１】
本発明は、排水管路の通球試験用治具およびこれを使用した排水管路の通球試験方法に関する。
【背景技術】
【０００２】
従来、マンションやホテル、事務所ビルなどにおいて、便器、浴槽、洗面台、洗濯機、キッチンなどの水廻り器具が接続された排水管路は、横枝管、立て管、横主管、屋外マスなどで構築され、これらを介して水廻り器具の排水が下水本管へ流れるように構成されている。
そして、排水管路を構築した際には、満水試験や通水試験が行われている（例えば、特許文献１参照）。このような試験の中には、排水管路の勾配による排水不良、排水管内へ異物が混入した場合の排水不良、部材同士の接続部における排水不良などを確認するために、水廻り器具が接続される排水管路の器具トラップの下流側からテスト用のボールと水とを同時に流し、ボールが留まることなく流れるかを確認する通球試験（ボールテスト）がある。
【先行技術文献】
【特許文献】
【０００３】
【特許文献１】特開２０００−８０６９２号公報
【発明の概要】
【発明が解決しようとする課題】
【０００４】
このような、通球試験では、器具側から流入されたボールの回収は、建物外部の屋外マスで行われるため、ボールの回収に時間および労力がかかるという問題がある。特に、水廻り器具ごとに通球試験を行う場合、膨大な時間および労力がかかるという問題がある。このため、大人数でボールの回収を行うことがある。
また、新築建物における通球試験は、水廻り器具が設置され、給水が開始されてから建物の竣工・引き渡しまでの間の短期間に実施されることが多いため、ボールを容易に回収できて通球試験にかかる時間を短縮できることが望まれている。
【０００５】
本発明は、上述する問題点に鑑みてなされたもので、ボールの回収を容易に行うことできる排水管路の通球試験用治具および排水管路の通球試験方法を提供することを目的とする。
【課題を解決するための手段】
【０００６】
上記目的を達成するため、本発明に係る排水管路の通球試験用治具は、内外を連通させる開口部を有する継手管に立て管が接続されている排水管路の通球試験用治具において、前記開口部から前記継手管内に着脱可能で、前記排水管路を流れる水を通流させ通球試験用のボールを受けるボール受け部材と、を備えることを特徴とする。
【０００７】
また、本発明に係る排水管路の通球試験方法は、内外を連通させる開口部を有する継手管に立て管が接続されている排水管路の通球試験方法において、水とともに前記排水管路を流れる通球試験用のボールを、前記開口部から前記継手管内に着脱可能に設けられて、前記排水管路を流れる水を通流させ前記ボールを受けるボール受け部材で受けることを特徴とする。
【０００８】
本発明では、通球試験用のボールを継手管に設けられたボール受け部材が受けることができるため、継手管の開口部からボールを容易に回収することができる。
従来の通球試験では、屋外マスまで流れたボールを回収しているが、本発明では継手管からボールを回収することができるため、従来の通球試験と比べてボールを容易に回収することができる。
また、通球試験の対象となる階よりも下の階が既に使用されている場合でも、使用されている階の排水が流れ込む部分よりも上方の継手管にボール受け部材を設けることで、使用されている階の排水管へボールが流れ込むことを防止することができる。
【０００９】
また、本発明に係る排水管路の通球試験用治具では、前記ボール受け部材を係止した状態で前記開口部から前記継手管内に挿入可能で内部を前記水が流れる管部材と、該管部材を前記継手管の内部において前記開口部と重なる高さに支持する支持部材と、少なくとも前記開口部の上部において前記管部材と前記継手管との隙間を止水する止水部材と、を更に備える構成としてもよい。
このような構成とすることにより、支持部材によって継手管の内部において開口部と重なる高さに支持された管部材の内部を水が流れ、少なくとも開口部の上方において管部材と継手管との隙間が止水部材によって止水されるため、開口部から継手管の外部へ水が漏れることを防止することができる。
【００１０】
また、本発明に係る排水管路の通球試験用治具では、前記開口部を閉塞可能な蓋部材と、該蓋部材と連結されて前記開口部から前記継手管の内部に挿入可能であるとともに前記ボール受け部材を支持するボール受け支持部材と、を備える構成としてもよい。
このような構成とすることにより、ボール受け部材を継手管の内部に配置させることができるとともに、蓋部材によって開口部から継手管の外部に水が漏れることを防止することができる。
【発明の効果】
【００１１】
本発明によれば、通球試験用のボールを継手管に設けられたボール受け部材が受けることができるため、継手管の開口部からボールを容易に回収することができる。
従来の通球試験では、屋外マスまで流れたボールを回収しているが、本発明では継手管からボールを回収することができるため、従来の通球試験と比べてボールを容易に回収することができる。
また、通球試験の対象となる階よりも下の階が既に使用されている場合でも、使用されている階の排水が流れ込む部分よりも上方の継手管にボール受け部材を設けることで、使用されている階の排水管へボールが流れ込むことを防止することができる。
【図面の簡単な説明】
【００１２】
【図１】排水管路の一例を示す図である。
【図２】排水管路の一部を示す図である。
【図３】本発明の第１実施形態による排水管路の通球試験用治具の一例を示す図である。
【図４】管部材の側面図である。
【図５】（ａ）は支持部材の正面図、（ｂ）は支持部材の側面図、（ｃ）は支持部材の上面図である。
【図６】ボール受け部材の側面図である。
【図７】（ａ）は環状パッキンの平面図、（ｂ）は（ａ）のＡ−Ａ線断面図である。
【図８】（ａ）本発明の第２実施形態による排水管路の通球試験用治具の一例を示す側面図、（ｂ）は（ａ）のＢ−Ｂ線断面図である。
【図９】（ａ）は蓋部材および支持部材を示す側面図、（ｂ）は（ａ）を支持部材側から見た図である。
【発明を実施するための形態】
【００１３】
（第１実施形態）
以下、本発明の第１実施形態による排水管路の通球試験用治具および排水管路の通球試験方法について、図１乃至図７に基づいて説明する。
図１に示すように、第１実施形態による排水管路の通球試験用治具１Ａは、マンションやホテル、事務所ビルなどの建物１１の、便器、浴槽、洗面台、洗濯機、キッチンなどの水廻り器具が接続された排水管路１２の通球試験（ボールテスト）を行う際に使用されている。
排水管路１２は、水廻り器具と接続された横枝管（不図示）、立て管１２１、横主管１２２、屋外マス１２３などの部材で構築されていて、これらを介して水廻り器具の排水が下水本管１２４へ流れるように構成されている。
【００１４】
また、図２に示すように、排水管路１２には、上下に立て管１２１，１２１が接続されて、例えば掃除口や点検口などの内外を連通させる開口部１３が側面に形成された継手管１４が設けられている。
この開口部１３には、掃除や点検などを行わないときには、蓋が取り付けられている。第１実施形態による排水管路の通球試験用治具１Ａを使用して排水管路１２の通球試験を行う場合は、この蓋を取り外して行う。
本実施形態では、図３に示すように、開口部１３は正面視略長方形に形成され、開口部１３の縁部に沿って継手管１４の外方に突出するように筒状のフランジ１３ａが設けられている。このフランジ１３ａは、継手管１４から突出するに従って、漸次内径が大きくなるテーパを有する角筒状に形成されている。
ここで、このフランジ１３ａを開口部１３のフランジ１３ａとして以下説明する。
【００１５】
図３に示すように、第１実施形態による排水管路の通球試験用治具１Ａは、開口部１３から継手管１４の内部に挿入可能で内部を水が流れる管部材３と、管部材３を継手管１４の内部において開口部１３の高さに支持する支持部材４と、管部材３の内部に配置されて排水管路１２を流れる水を通流させボール２を受けるボール受け部材５と、管部材３の上端部３ａに設けられて開口部１３の上部側において管部材３と継手管１４との隙間を止水する環状パッキン（止水部材）６と、を備えている。
【００１６】
通球試験用のボール２は、スーパーボールなどのゴムで形成されたボールや、穴あきのゴルフボールなどのプラスチックで形成されたボールなどで構成されていて、その径は、例えば１０ｍｍ〜５０ｍｍとしている。なお、ボール２は、球状のものに限らず球体を偏平させた形状など他の形状のものとしてもよい。
【００１７】
図３および図４に示すように、管部材３は、軸方向を上下方向となるように配されていて、上部側に配置され下側から上側に向かって漸次径が大きくなるテーパを有する筒状の円錐台部３１と、下部側に配置され円錐台部３１の下端部３１ａと連続し円錐台部３１の下端部３１ａと同じ径の円筒部３２と、円錐台部３１の上端部３１ｂ設けられて円錐台部３１の外周面から径方向外側に向かって延びる円環状のフランジ３３と、を有している。
このフランジ３３は、外径が継手管１４（図３参照）の内径と略同じ寸法となるように形成されている。
また、本実施形態では、管部材３は透明または半透明の材料で形成されていて、管部材３の外部から内部を見ることができるように構成されている。
【００１８】
図３および図５に示すように、支持部材４は、上端部に配置され平面視円弧状の上側支持部４１と、下端部に配置され平面視円弧状の下側支持部４２と、上下方向に延在し上端部が上側支持部４１と連結されるとともに下端部が下側支持部４２と連結された複数の連結部４３，４３…と、支持部材４が配置される高さを調整する高さ調整部４４と、を有している。
本実施形態では、図５に示すように、上側支持部４１には、円弧の周方向の両端部に管部材３のフランジ３３の下面と当接する当接部４１ａが設けられている。そして、管部材３は、そのフランジ３３の下面が当接部４１ａと当接するようにして支持部材４の上部に配置され、支持部材４に支持されるように構成されている。
【００１９】
高さ調整部４４は、軸方向を上下方向とするネジ４５と、ナット４６と、を有している。
ナット４６は、上側支持部４１の外周面における周方向の略中間部に固定され、周方向の回転が拘束されている。
ネジ４５は、ナット４６と螺合し下端部に設けられた拡径部４５ａが、継手管１４の開口部１３の下側のフランジ１３ａと当接可能に構成されている。そして、拡径部４５ａとナット４６との距離を調整するとともに拡径部４５ａを開口部１３のフランジ１３ａと当接させることで開口部１３に対する支持部材４の高さが調整される。
これらの上側支持部４１、下側支持部４２、連結部４３、高さ調整部４４は、それぞれプラスチック材料または金属材料で形成されている。
【００２０】
図３および図６に示すように、ボール受け部材５は、下側に突出するように湾曲する向きに配置される半球状の網部５１と、網部５１の上端部から水平方向外側に向かって延びる円環状のフランジ５２と、を有している。
網部５１の網目は、水が通流可能で、ボール２の外形よりも小さくボール２が通過できない寸法に形成されている。
また、フランジ５２の外径は、管部材３の円錐台部３１の下端部３１ａの内径よりも大きく上端部３１ｂの内径よりも小さい寸法に形成されている。そして、ボール受け部材５が管部材３の内部に上方から挿入されると、円錐台部３１の上下方向の中間部においてボール受け部材５のフランジ５２と円錐台部３１の内周面とが当接する。これにより、ボール受け部材５は、管部材３に対して高さ方向の位置が固定されて、管部材３に係止されるように構成されている。
【００２１】
図３および図７に示すように、環状パッキン６は、柔軟性を有するゴムなどで形成された所定の厚みを有する円環状のパッキンで、平面視において管部材３のフランジ３３と略同じ形状に形成されている。
環状パッキン６は、管部材３の上側に配置され、下面が管部材３のフランジ３３の上面と当接するように構成されている。また、環状パッキン６は、継手管１４の内部に挿入されると、上部の立て管１２１から排水が流下する継手管１４内の上側開口に周囲に当接するように構成され、上部の立て管１２１から流下する排水は管部材３を通過して下部の立て管１２１に流下する際に管部材３と継手管１４との隙間から漏水するのを防止する。
【００２２】
このような排水管路の通球試験用治具１Ａを、継手管１４の内部に設置するには、まず、管部材３の内部にボール受け部材５を挿入して、ボール受け部材５のフランジ５２と管部材３の円錐台部３１の内周面とを当接させ、ボール受け部材５を管部材３に係止させる。
続いて、管部材３のフランジ３３を支持部材４の上側支持部４１の当接部４１ａの上に乗せるようにして管部材３を支持部材４の上に設置する。続いて、管部材３のフランジ３３の上部に環状パッキン６を設置する。なお、環状パッキン６は、予め管部材３のフランジ３３の上部に設置しておいてもよい。
【００２３】
そして、この状態でこれらの部材を継手管１４の開口部１３から継手管１４の内部に挿入する。このとき、支持部材４が、継手管１４の開口部１３側（継手管１４へ挿入する際の手前側）に配置されるようにする。
続いて、高さ調整部４４のネジ４５の高さを調整してネジ４５の拡径部４５ａと開口部１３の下側のフランジ１３ａとを当接させて、排水管路の通球試験用治具１Ａの位置を固定する。
このとき、管部材３が、継手管１４の開口部１３と略重なる高さとなるとともに、環状パッキン６が管部材３のフランジ３３と開口部１３の上側のフランジ１３ａとに挟持されるように高さ調整を行う。
【００２４】
第１実施形態による排水管路の通球試験方法では、まず、排水管路の通球試験用治具１Ａを上述したように継手管１４の内部に設置し、建物１１（図１参照）に設置された水廻り器具の器具トラップの下流側から、水とともにボール２を流し、ボール２が問題なく流れるかどうかを確認する。
そして、排水管路１２を流れたボール２がボール受け部材５に入ったことを確認したら、高さ調整部４４のネジ４５を緩めて、排水管路の通球試験用治具１Ａを継手管１４から取り出し、ボール受け部材５に入ったボール２を取り出す。
【００２５】
次に、上述した第１実施形態による排水管路の通球試験用治具１Ａの作用・効果について図面を用いて説明する。
第１実施形態による排水管路の通球試験用治具１Ａによれば、通球試験用のボール２を継手管１４に設けられたボール受け部材５が受けることができるため、継手管１４の開口部１３からボール２を容易に回収することができる。
従来の通球試験では、屋外マス１２３（図１参照）まで流れたボール２を回収しているが、本実施形態では継手管１４からボール２を回収することができるため、従来の通球試験と比べてボール２を容易に回収することができる。
また、通球試験の対象となる階よりも下の階が既に使用されている場合でも、使用されている階の排水が流れ込む部分よりも上方の継手管１４にボール受け部材５を設けることで、使用されている階の排水管路１２へボール２が流れ込むことを防止することができる。
【００２６】
また、支持部材４によって開口部１３の高さに支持された管部材３の内部を水が流れ、管部材３のフランジ３３と開口部１３の上側のフランジ１３ａとの間に環状パッキン６が設けられているため、開口部１３の上部側において、管部材３と継手管１４との隙間が止水され、開口部１３から継手管１４の外部へ水が漏れることを防止することができる。
また、ボール受け部材５は、網部５１にボール２の外形よりも小さい網目が形成されていることにより、水を通流させてボール２を確実に受けることができる。
【００２７】
また、管部材３は、透明または半透明の材料で形成されていることにより、ボール受け部材５にボール２が到着したかどうかを管部材３の外部から確認することができる。
また、支持部材４は、プラスチック材料または金属材料で形成されていることにより、ボール受け部材５を通流する水の衝撃や、ボール受け部材５にボール２が到着した際の衝撃に耐えることができる。
【００２８】
（第２実施形態）
次に、第２実施形態について、添付図面に基づいて説明するが、上述の第１実施形態と同一又は同様な部材、部分には同一の符号を用いて説明を省略し、第１実施形態と異なる構成について説明する。
図８に示すように、第２実施形態による排水管路の通球試験用治具１Ｂは、継手管１４の開口部１３（図３参照）を閉塞可能な蓋部材８と、第１実施形態の同様のボール受け部材５と、蓋部材８と連結し開口部１３から継手管１４内に挿入可能であるとともにボール受け部材５を支持可能なボール受け支持部材９と、第１実施形態の同様のボール２と、を備えている。
【００２９】
蓋部材８は、排水管路１２（図３参照）の掃除や点検などを行わないときに開口部１３取り付ける蓋（以下、通常蓋とする）とは別のもので構成されている。なお、排水管路１２の通球試験を行う場合は、通常蓋を取り外して行う。
図８および図９に示すように、蓋部材８は、開口部１３を閉塞可能な寸法の板部８１と、板部８１を継手管１４に固定する固定具８２と、を有している。
板部８１は、透明または半透明の材料で形成されている。
固定具８２は、例えばボルトなどで、継手管１４に形成され通常蓋を継手管１４に固定するためのボルトが挿通されるボルト孔に螺合可能に構成されている。なお、固定具８２はボルト以外で構成されていてもよい。
また、開口部１３と板部８１との間からの漏水を防止するため、開口部１３と板部８１との間に少なくとも開口部１３の周囲を覆う環状のパッキン（不図示）が設けられる。
【００３０】
ボール受け支持部材９は、蓋部材８の継手管１４側の面に突設された板状の部材で構成されていて、開口部１３から継手管１４の内部に挿入可能に構成されている。
ここで、図９（ｂ）に示すように、ボール受け支持部材９の蓋部材８からの突出方向に交差する水平方向を幅方向とすると、ボール受け支持部材９は、幅方向の略中央部９１が幅方向の両端部９２，９２より下方に位置し、幅方向の両端部９２，９２から略中央部９１に向かって下方に傾斜している。本実施形態では、水平面に対するボール受け支持部材９の傾斜角度θは、２°〜３０°程度としている。
【００３１】
また、ボール受け支持部材９には、上下方向に貫通する孔部９３が形成されていて、孔部９３の中心は、ボール受け支持部材９の幅方向の略中央部９１に位置している。孔部９３の内径は、ボール受け部材５のフランジ５２の内径と略同じ寸法とされている。
そして、孔部９３に上方からボール受け部材５が挿入されると、ボール受け支持部材９の上面とボール受け部材５のフランジ５２の下面とが当接し、ボール受け部材５がボール受け支持部材９に係止され、所定の位置に支持された状態となる。
【００３２】
なお、本実施形態では、孔部９３の内周には、孔部９３の軸方向に沿って段差が形成されていて、軸方向の中間部に上方に面する円環状の段差面９３ａが形成されている。そして、孔部９３は、段差面９３ａよりも上側の部分が段差面９３ａよりも下側の部分よりも径が大きくなるように形成されている。
この段差面９３ａの内径は、ボール受け部材５のフランジ５２（図８参照）の内径と略同じ寸法とされていて、孔部９３に上方からボール受け部材５が挿入されると、段差面９３ａの上面（ボール受け支持部材９の上面）とボール受け部材５のフランジ５２の下面とが当接するように構成されている。
【００３３】
第２実施形態による排水管路の通球試験方法では、まず、ボール受け部材５を設置したボール受け支持部材９を開口部１３から継手管１４の内部に挿入し、蓋部材８の板部８１を固定具８２で継手管１４に固定する。そして、第１実施形態と同様に、建物１１に設置された水廻り器具から水とともにボール２を流し、ボール２が流れるかどうかを確認する。
そしてそして、排水管路１２を流れたボール２がボール受け部材５に入ったことを確認したら、蓋部材８を継手管１４から外し、蓋部材８とともにボール受け支持部材９およびボール受け部材５を取り出して、ボール受け部材５の中のボール２を回収する。
【００３４】
第２実施形態による排水管路の通球試験用治具１Ｂでは、第１実施形態と同様に、通球試験用のボール２を継手管１４に設けられたボール受け部材５が受けることができるため、継手管１４の開口部１３からボール２を容易に回収することができる。
また、第２実施形態による通球試験用治具は、板部８１とパッキンにより開口部１３が閉塞されるため、第１実施形態よりも漏水が起こりにくく、特に漏水防止が求められる箇所において好適に用いることができる。
また、蓋部材８の板部８１は、透明または半透明の材料で形成されていることにより、ボール受け部材５にボール２が到着したかどうかを管部材３の外部から確認することができる。
また、ボール受け支持部材９は、幅方向の略中央部９１が幅方向の両端部９２，９２より下方に位置し、幅方向の両端部９２，９２から略中央部９１に向かって下方に傾斜しているため、ボール受け支持部材９の上部に流れてきた水やボール２を、ボール受け部材５に流入させることができる。
【００３５】
以上、本発明による排水管路の通球試験用治具１Ａ，１Ｂおよび排水管路の通球試験方法の実施形態について説明したが、本発明は上記の実施形態に限定されるものではなく、その趣旨を逸脱しない範囲で適宜変更可能である。
例えば、上記の第１実施形態による排水管路の通球試験用治具１Ａは、管部材３や、支持部材４、環状パッキン６を備え、第２実施形態による排水管路の通球試験用治具１Ｂは、蓋部材８やボール受け支持部材９を備えているが、本発明の排水管路の通球試験用治具は、ボール２と、継手管１４内に着脱可能なボール受け部材５と、を備えていればよい。
【００３６】
また、上記の実施形態では、ボール受け部材５に網目が形成されているが、網目に代わってボール２の径よりも小さい径の複数の孔部や、ボール２の径よりも小さい幅の複数のスリットなどが形成されていてもよい。また、ボール受け部材５の形状は半球状に限られることはなく、有底円筒状や有底角筒状などボール２を受けることが可能な形状であればよい。
また、ボール受け部材５を継手管１４の内部に支持する機構は上記の実施形態以外の機構であってもよい。
【００３７】
また、上記の実施形態では、管部材３および蓋部材８の板部８１が透明または半透明の材料で形成されているが、不透明の材料で形成されていてもよい。また、管部材３や蓋部材８の板部８１に、継手管１４の内部を見ることができる窓部などが形成されていてもよい。
また、上記の第１実施形態では、環状パッキン６が設けられているが、環状パッキン６以外の止水部材が設けられていてもよい。さらに、高さ調整部４４は、高さを調整できる機構であればネジ４５とナット４６に限られるものではなく、他の高さを調整できる機構を採用してもよい。
また、上記の第２実施形態では、ボール受け支持部材９は、幅方向の略中央部９１が幅方向の両端部９２，９２より下方に位置し、幅方向の両端部９２，９２から略中央部９１に向かって下方に傾斜しているが、このように傾斜していなくてもよい。
また、上記の第２実施形態では、ボール受け支持部材９の孔部９３の内部に段差面９３ａが形成されているが、このような段差面９３ａが形成されていなくてもよい。
【符号の説明】
【００３８】
１Ａ，１Ｂ  排水管路の通球試験用治具
２  ボール
３  管部材
４  支持部材
５  ボール受け部材
６  環状パッキン（止水部材）
８  蓋部材
９  ボール受け支持部材
１２  排水管路
１３  開口部
１４  継手管
５１  網部
１２１  立て管
【図１】
2015113610.tif 000003
【図２】
2015113610.tif 000004
【図３】
2015113610.tif 000005
【図４】
2015113610.tif 000006
【図５】
2015113610.tif 000007
【図６】
2015113610.tif 000008
【図７】
2015113610.tif 000009
【図８】
2015113610.tif 000010
【図９】
2015113610.tif 000011